(57)【要約】【課題】  飲食店などの各種施設を利用する際の画面を認証するための認証処理システムを提供することを目的とする。【解決手段】  コード表を生成するコード表生成処理部と，生成したコード表を，施設が利用する施設側端末に対して配信するコード表配信処理部と，生成したコード表を記憶するコード表記憶部と，時計機能を有する時計処理部と，利用者が施設の従業員から伝えられたコード識別情報を利用者が利用する可搬型通信端末から受け付け，時計処理部における日時情報と受け付けたコード識別情報とに基づいて，コード表記憶部に記憶するコード表から，対応するコードを特定し，そのコードを可搬型通信端末に送る利用者処理部と，を備えており，コード表は，少なくとも複数のコード識別情報と，その各コード識別情報に時間帯ごとのコードを対応付けている，認証処理システムである。【選択図】  図１
2015148862.tif 000002
【特許請求の範囲】
【請求項１】
施設の利用者がその施設の従業員に対して提示する画面の認証を行う認証処理システムであって，
前記認証処理システムは，
コード表を生成するコード表生成処理部と，
前記生成したコード表を，前記施設が利用する施設側端末に対して配信するコード表配信処理部と，
前記生成したコード表を記憶するコード表記憶部と，
時計機能を有する時計処理部と，
前記利用者が前記施設の従業員から伝えられたコード識別情報を前記利用者が利用する可搬型通信端末から受け付け，前記時計処理部における日時情報と前記受け付けたコード識別情報とに基づいて，前記コード表記憶部に記憶するコード表から，対応するコードを特定し，そのコードを前記可搬型通信端末に送る利用者処理部と，を備えており，
前記コード表は，
少なくとも複数のコード識別情報と，その各コード識別情報に時間帯ごとのコードを対応付けている，
ことを特徴とする認証処理システム。
【請求項２】
前記施設側端末は，
前記認証処理システムから配信された前記コード表を記憶しており，
現在の日時情報に対応する所定範囲の時間帯のコードを表示する，
ことを特徴とする請求項１に記載の認証処理システム。
【請求項３】
前記所定範囲の時間帯として，現在の日時情報とその前後の時間帯である，
ことを特徴とする請求項２に記載の認証処理システム。
【請求項４】
前記コード表生成処理部は，
施設ごとに日にちによって使用するコードを変更することで，施設ごとに異なるコード表を生成する，
ことを特徴とする請求項１から請求項３のいずれかに記載の認証処理システム。
【請求項５】
施設の利用者がその施設の従業員に対して提示する画面の認証を行う認証処理システムであって，
前記認証処理システムは，
コード表を生成するコード表生成処理部と，
前記生成したコード表を出力するコード表出力処理部と，
前記生成したコード表を記憶するコード表記憶部と，
時計機能を有する時計処理部と，
前記利用者が前記施設の従業員から伝えられたコード識別情報を前記利用者が利用する可搬型通信端末から受け付け，前記時計処理部における日時情報と前記受け付けたコード識別情報とに基づいて，前記コード表記憶部に記憶するコード表から，対応するコードを特定し，そのコードを前記可搬型通信端末に送る利用者処理部と，を備えており，
前記コード表は，
少なくとも複数のコード識別情報と，その各コード識別情報に時間帯ごとのコードを対応付けている，
ことを特徴とする認証処理システム。
【請求項６】
前記コード表は，
複数のページからなるコードブックと，コードカレンダーとを有しており，
前記コードブックは，
ページごとに，複数のコード識別情報と，その各コード識別情報に時間帯ごとのコードを対応付けており，
前記コードカレンダーは，
日付とページとを対応付けている，
ことを特徴とする請求項５に記載の認証処理システム。
【発明の詳細な説明】
【技術分野】
【０００１】
本発明は，飲食店などの各種施設を利用する際に，店員などに提示する画面を認証するための認証処理システムに関する。
【背景技術】
【０００２】
携帯電話などの可搬型通信端末の普及に伴い，クーポンにより利用料金の割引を受けられたり，ポイントや電子マネーで決済を行うことができるアプリケーションプログラムを可搬型通信端末に記憶させ，それを飲食店などの各種施設を利用する際に利用することが行われている。
【０００３】
この場合，可搬型通信端末でアプリケーションプログラムを起動し，アプリケーションプログラムから所定のサーバにアクセスをして操作をする。そして，ポイントや電子マネーなどによる決済等が完了したことを示す画面（決済完了画面）（図１３）を，施設での支払い時に店員に提示することで，決済等が完了したことを証明し，費用の割引や決済を行うことができる。このような処理の流れを図１４および下記非特許文献１に示す。
【先行技術文献】
【非特許文献】
【０００４】
【非特許文献１】株式会社ぐるなび，”お支払いにポイント・マネーを使う−ぐるなびタッチ”，インターネット＜ＵＲＬ：http://www.gnavi.co.jp/touch/guide/pointuse/index.html＞
【発明の概要】
【発明が解決しようとする課題】
【０００５】
しかし，可搬型通信端末からサーバにアクセスをして決済等を行う場合には，施設側の装置とのやりとりがなく，所定の決済を行う決済サーバと可搬型通信端末との間における処理結果を示す決済完了画面を店員に提示しているだけである。そのため，あらかじめ，決済完了画面と同一の画面を画像情報として作成するなどしておき，施設における決済時に，決済が終了していないにもかかわらず，上記作成した画像情報を店員に提示することで，あたかも決済が正規に終了したかのように装い，不法に利益を享受しようとする利用者もいる。
【０００６】
この場合，決済完了画面が正規のものであるか否かを確認するため，決済完了画面に表示される発行日時とＩＤとを記録することが推奨されているが，店員の負担となることから，実際には行われていないことも多い。そこで店員の負担となることなく，決済完了等を示す画面の偽装を防止する認証処理システムが求められている。
【課題を解決するための手段】
【０００７】
本発明者は上記課題に鑑み，店員の負担となることがなく，簡単に画面の偽装を確認することができる認証処理システムを発明した。
【０００８】
第１の発明は，施設の利用者がその施設の従業員に対して提示する画面の認証を行う認証処理システムであって，前記認証処理システムは，コード表を生成するコード表生成処理部と，前記生成したコード表を，前記施設が利用する施設側端末に対して配信するコード表配信処理部と，前記生成したコード表を記憶するコード表記憶部と，時計機能を有する時計処理部と，前記利用者が前記施設の従業員から伝えられたコード識別情報を前記利用者が利用する可搬型通信端末から受け付け，前記時計処理部における日時情報と前記受け付けたコード識別情報とに基づいて，前記コード表記憶部に記憶するコード表から，対応するコードを特定し，そのコードを前記可搬型通信端末に送る利用者処理部と，を備えており，前記コード表は，少なくとも複数のコード識別情報と，その各コード識別情報に時間帯ごとのコードを対応付けている，認証処理システムである。
【０００９】
本発明のように構成することで，施設の従業員（店員など）は，施設の利用者が提示する画面が偽装であるか否かを容易に確認することができる。
【００１０】
上述の発明において，前記施設側端末は，前記認証処理システムから配信された前記コード表を記憶しており，現在の日時情報に対応する所定範囲の時間帯のコードを表示する，認証処理システムのように構成することができる。
【００１１】
本発明の認証処理システムのように構成することで，施設の従業員は，利用者から提示されたコードを，コード表から迅速に発見することができ，確認作業の迅速化につなげられる。
【００１２】
上述の発明において，前記所定範囲の時間帯として，現在の日時情報とその前後の時間帯である，認証処理システムのように構成することができる。
【００１３】
対応する時間帯のみではなく，その前後の時間帯のコードを表示することで，認証処理システムと施設側端末との時刻の同期処理が不要となる。たとえば，認証処理システムでは「２０時０１分１０秒」を示しており，施設側端末では「１９時５９分２０秒」を示していたとする。現在の日時情報に対応する時間帯のコードのみが表示されるとすると，認証処理システムでは２０時台のコードが利用者の可搬型通信端末に送られるにもかかわらず，施設側端末では１９時台のコードが表示されることとなる。そうすると施設の従業員はコードが一致しない，と判断してしまう。これを解消するには認証処理システムと施設側端末の時刻の同期処理が必要となるが，それを行うのはシステム的な処理が必要となる。
【００１４】
そこで，本発明の構成を用いることで，同期処理を設けずとも，コードの一致，不一致を従業員が簡単に判定することができる。
【００１５】
上述の発明において，前記コード表生成処理部は，施設ごとに日にちによって使用するコードを変更することで，施設ごとに異なるコード表を生成する，認証処理システムのように構成することができる。
【００１６】
コードは乱数などからなることが好ましい。そのためコードそのものを生成するのに処理時間を要する。そうすると，施設ごとに異なるコード表を生成するのは，コードをすべて一から生成すると処理時間を要してしまう。そこで，生成したコードを使用する日にちを変更することで，施設ごとに異なるコード表とすることができる。
【００１７】
第２の発明は，施設の利用者がその施設の従業員に対して提示する画面の認証を行う認証処理システムであって，前記認証処理システムは，コード表を生成するコード表生成処理部と，前記生成したコード表を出力するコード表出力処理部と，前記生成したコード表を記憶するコード表記憶部と，時計機能を有する時計処理部と，前記利用者が前記施設の従業員から伝えられたコード識別情報を前記利用者が利用する可搬型通信端末から受け付け，前記時計処理部における日時情報と前記受け付けたコード識別情報とに基づいて，前記コード表記憶部に記憶するコード表から，対応するコードを特定し，そのコードを前記可搬型通信端末に送る利用者処理部と，を備えており，前記コード表は，少なくとも複数のコード識別情報と，その各コード識別情報に時間帯ごとのコードを対応付けている，認証処理システムである。
【００１８】
施設が飲食店のような場合，施設側端末を備えていない場合も多い。そのため，紙媒体のコード表を，本発明を利用することで生成することで，施設側端末と同様の技術的効果を得ることができる。
【００１９】
上述の発明において，前記コード表は，複数のページからなるコードブックと，コードカレンダーとを有しており，前記コードブックは，ページごとに，複数のコード識別情報と，その各コード識別情報に時間帯ごとのコードを対応付けており，前記コードカレンダーは，日付とページとを対応付けている，認証処理システムのように構成することができる。
【００２０】
紙媒体のコード表であっても，施設ごとに異なるコード表とする場合もある。施設ごとに異なるコード表を生成するのは，コードをすべて一から生成すると処理時間を要してしまう。そこで，コードカレンダーにおいて，コードブックの日付とページとの対応関係を，施設ごとに変更することで，施設ごとに異なるコード表とすることが好ましい。これによって，処理時間を要することなく，施設ごとに異なるコード表を生成することができる。
【発明の効果】
【００２１】
本発明の認証処理システムを用いることで，店員の負担となることなく，かつ簡単に，画面の偽装を判定することができる。
【図面の簡単な説明】
【００２２】
【図１】本発明の認証処理システムのシステム構成の概念の一例を模式的に示す図である。
【図２】コンピュータのハードウェア構成の一例を模式的に示す図である。
【図３】本発明の認証処理システムの処理プロセスの一例を模式的に示すフローチャートである。
【図４】コード表の一例を模式的に示す図である。
【図５】コード識別情報入力画面の一例を模式的に示す図である。
【図６】コード表示画面の一例を模式的に示す図である。
【図７】対応する時間帯とその前後の時間帯のコードのみを施設側端末表示した場合の一例を模式的に示す図である。
【図８】対応する時間帯のコードのみを施設側端末表示した場合の一例を模式的に示す図である。
【図９】１８時から２０時のコードのみを施設側端末表示した場合の一例を模式的に示す図である。
【図１０】紙媒体のコード表の一例を模式的に示す図である。
【図１１】実施例２の場合の認証処理システムのシステム構成の概念の一例を模式的に示す図である。
【図１２】実施例２の場合の認証処理システムの処理プロセスの一例を模式的に示すフローチャートである。
【図１３】決済完了画面の従来の一例を示す図である。
【図１４】従来の決済処理の流れの一例を模式的に示す図である。
【発明を実施するための形態】
【００２３】
本発明の認証処理システム１のシステム構成の一例の概念図を図１に示す。また，認証処理システム１を実現するコンピュータのハードウェア構成の一例を図２に模式的に示す。
【００２４】
コンピュータとしては，スマートフォンを含む携帯電話，ＰＨＳ，ＰＤＡ，タブレット型コンピュータなどの持ち運び可能な可搬型通信端末３のほか，パーソナルコンピュータ，サーバなどを含む。
【００２５】
コンピュータは，プログラムの演算処理を実行するＣＰＵなどの演算装置７０と，情報を記憶するＲＡＭやＲＯＭなどの記憶装置７１と，ディスプレイなどの表示装置７２と，マウスやキーボード，タッチパネルなどの各種入力インターフェイスの入力装置７３と，演算装置７０の処理結果や記憶装置７１に記憶する情報を公衆電話回線，インターネットやＬＡＮなどのネットワークを介して送受信する通信装置７４とを有している。コンピュータ上で実現する各機能（各手段）は，その処理を実行する手段（プログラムやモジュールなど）が演算装置７０に読み込まれることでその処理が実行される。各機能は，記憶装置７１に記憶した情報をその処理において使用する場合には，該当する情報を当該記憶装置７１から読み出し，読み出した情報を適宜，演算装置７０における処理に用いる。
【００２６】
本発明における各手段は，その機能が論理的に区別されているのみであって，物理上あるいは事実上は同一の領域を為していても良い。
【００２７】
可搬型通信端末３は，施設の利用者が利用する携帯電話，スマートフォン，ＰＨＳ，ＰＤＡ，タブレット端末，ノート型コンピュータなどの持ち運び可能な通信端末（コンピュータ）である。
【００２８】
施設側端末４は，施設に設置するコンピュータであって，たとえばパーソナルコンピュータやタブレット端末などがその一例としてある。施設側端末４は，認証処理サーバ２とインターネットなどのネットワークを介して情報の送受信が可能な通信端末である。
【００２９】
認証処理サーバ２は，認証処理システム１を利用する企業などが提供するサーバであって，コード表生成処理部２０とコード表配信処理部２１とコード表記憶部２２と時計処理部２３と利用者処理部２４とを有する。なお認証処理サーバ２は，後述の決済サーバと一体的に構成していても良いし，別々に構成していても良い。
【００３０】
コード表生成処理部２０は，所定のタイミング，たとえば毎月定められた日時などに，各施設に設置している施設側端末４で利用する電子的なコード表を生成する。コード表とは，たとえば，コード表を毎月生成する場合，各日にちおよび時間帯毎に乱数が表記されている乱数表である。コード表の一例として，図４がある。図４では，ある特定の日にちにおける，時間帯ごとに使用する３つのコード（乱数）が含まれている。また時間帯として１時間毎の場合を図示しているが，それに限られず，たとえば３時間毎，午前の時間帯，午後の時間帯，といったように任意に区切ることが可能である。
【００３１】
また，コード表生成処理部２０がコード表を生成する周期は，毎月，毎週，毎日，毎時間など如何なるタイミングであっても良い。また，生成するコード表は，複数の施設で共通であっても良いし，異なるものであっても良い。またコード表に含まれる乱数の生成処理は，公知の各種生成方法を用いることができる。各施設ごとに異なるコードを用いる場合には，施設ごとに，日にちによって使用するコードを変更すればよい。たとえば，Ａ店では１１月２５日に用いるコードを，Ｂ店では１１月３０日に用いる。これによって，コードそのものは同じであっても，それを使う日にちが変わるので，飲食店ごとに使用するコードが異なることとなる。また，生成するコード数は変わらないので，コード表生成処理部２０の負荷もかからない。
【００３２】
コード表配信処理部２１は，コード表生成処理部２０で生成したコード表を，各施設側端末４に配信する。
【００３３】
コード表記憶部２２は，コード表生成処理部２０で記憶したコード表を記憶する。
【００３４】
時計処理部２３は，時計機能であって，好ましくは日時情報を管理する。
【００３５】
利用者処理部２４は，利用者が利用する可搬型通信端末３から，所定のコード識別情報の入力を受け付けると，そのコード識別情報と時計処理部２３における現在の日時情報とに基づいて，対応するコード（乱数）をコード表記憶部２２から特定する。そして，特定したコードをその可搬型通信端末３に送り，表示させる。
【実施例１】
【００３６】
つぎに，本発明の認証処理システム１の処理プロセスの一例を図３のフローチャートを用いて説明する。なお，以下の説明では施設として飲食店の場合を説明する。
【００３７】
あらかじめ設定したタイミングが到来すると，コード表生成処理部２０は，各飲食店で利用するためのコード表を生成する（Ｓ１００）。そして生成したコード表は，コード表配信処理部２１が各飲食店で利用している施設側端末４に配信する（Ｓ１１０）。またコード表生成処理部２０は，生成したコード表をコード表記憶部２２に記憶させる。
【００３８】
認証処理サーバ２からコード表を受け付けた施設側端末４は，コード表を記憶しておく。
【００３９】
飲食店を利用した利用者が，可搬型通信端末３のクーポンや決済などのアプリケーションプログラムを利用して割引などのサービスを享受しようと考えた場合，利用者が決済を行うときに，アプリケーションプログラムで定められた方法により操作を行うことで，その手続を行う。たとえばポイントや電子マネーで飲食店の代金を支払おうとする場合，それらのアプリケーションプログラムを可搬型通信端末３で起動する。
【００４０】
そしてアプリケーションプログラムにおける所定の操作を可搬型通信端末３で行うことで，決済等の処理が行われる。たとえば，利用するポイント数の情報（たとえば１０００ポイント）を入力すると，その情報が決済等の処理を行う所定の決済サーバ（図示せず）に送られる。そして，正常に決済等の処理が行われると，決済サーバは，利用者が利用する可搬型通信端末３に対して，図５に示すような，コード識別情報の入力画面を表示させる。
【００４１】
利用者は，飲食店の店員にコード識別情報を尋ねる。利用者からコード識別情報を尋ねられた店員は，施設側端末４でコード表のなかから，任意のコード識別情報を伝える。コード識別情報とは，各時間帯ごとに複数あるコードを識別するための情報であり，コード表が図４の場合，「１」，「２」，「３」が該当する。
【００４２】
たとえば店員が「１」と回答した場合，それを聞いた利用者は，入力画面に「１」を入力し，送信する。ここで送信されたコード識別情報は，可搬型通信端末３から認証処理サーバ２に送られる。
【００４３】
可搬型通信端末３からコード識別情報を受け付けた認証処理サーバ２の利用者処理部２４は（Ｓ１２０），受け付けた認証情報と，時計処理部２３における現在の日時情報とに基づいて，コード表記憶部２２を参照して対応するコードを特定し（Ｓ１３０），それを当該可搬型通信端末３に送る（Ｓ１４０）。
【００４４】
たとえばコード識別情報として「１」を受け付け，現在の日時情報が「１１月２５日  ２０時０１分」であり，コード表が図４の場合，利用者処理部２４はコード表記憶部２２から「３７９」をコードとして特定し，可搬型通信端末３に送る。
【００４５】
可搬型通信端末３では認証処理サーバ２から送られたコードを，図６に示すコード表示画面として表示する。コード表示画面では，店員が利用者に伝えたコード識別情報と，それに対応するコードとが少なくとも表示されている。このコード表示画面を利用者が店員に提示することで，あるいは，そこに表示されているコードを利用者が店員に伝えることで，店員は，飲食店内の時計などで時刻を確認し，施設側端末４で記憶するコード表を参照して，コードを確認する。もし一致していれば，正規に決済等の処理が行われたと判断でき，利用者がポイントや電子マネーなどで決済した分を減額して会計処理が行える。一方，一致していなければ，偽装された画面である可能性が高いので，利用者に対して決済等について確認を求めればよい。
【００４６】
なお，施設側端末４でコード表を表示する際には，当日のすべての時間帯のコード表を図４のように表示しても良いが，対応するコードを探す手間がかかる。そこで，施設側端末４に記憶している時計機能を利用して，その時間帯またはその時間帯と前後の時間帯のコードのみを表示しても良い。この場合の施設側端末４で表示するコード表の一例を図７に示す。
【００４７】
対応する時間帯のみではなく，その前後の時間帯のコードを表示することで，認証処理サーバ２の時計処理部２３における時刻と，施設側端末４の時計機能における時刻との同期処理が不要となる。たとえば，認証処理サーバ２の時計処理部２３における日時情報が「１１月２５日  ２０時０１分」であり，施設側端末４の時計機能における日時情報が「１１月２５日  １９時５８分」であった場合，対応する時間帯のコードしか表示されていないと，図８のように表示されるので，１９時台のコード「９４４」などしか表示されない。この場合，店員が認識し得るコード「９４４」と，利用者が伝えるコード「３７９」とが不一致となってしまい，確認作業が必要となる。しかし，前後の時間帯のコードも表示させることで，図９のように表示がなされる。そのため，店員は容易に２０時台のコードとの一致を認識できるので，時刻が多少ずれていても，店員は前後の時間帯のコードと一致していれば，決済等の正確性を容易に確認することができる。
【００４８】
コード表を飲食店ごとに変更する場合には，コード表生成処理部２０は，飲食店ごとのコード表を生成し，コード表配信処理部２１が，各飲食店の施設側端末４に対して，その飲食店に対するコード表を配信する。また，コード表記憶部２２では，飲食店を識別する情報とともにコード表を記憶する。利用者の利用する可搬型通信端末３からコード識別情報を入力を受け付ける場合に，可搬型通信端末３のアプリケーションプログラムで決済等の処理を行う際に，事前に決済等の処理を行う対象とする飲食店が選択されている場合には，その飲食店の識別情報を当該決済等の処理を行う所定のサーバから取得し，可搬型通信端末３から受け付けたコード識別情報とともにコード表記憶部２２から対応するコード表，コードを特定する。
【００４９】
一方，利用者の利用する可搬型通信端末３からコード識別情報を入力を受け付ける場合に，可搬型通信端末３のアプリケーションプログラムで決済等の処理を行う際に，事前に決済等の処理を行う対象とする飲食店が選択されていない場合には，利用者処理部２４は，その飲食店の識別情報を，コード識別情報とともに可搬型通信端末３から受け付け，それらの情報に基づいて，コード表記憶部２２から対応するコード表，コードを特定する。
【実施例２】
【００５０】
実施例１では，施設に施設側端末４を設けた場合を説明したが，飲食店などの場合には，施設側端末４に相当するコンピュータがない場合もある。そこで，コード表を紙媒体として生成しても良い。この場合のコード表としては，コードカレンダーとコードブックとを有する。コードブックは，ページごとに，時間帯ごとに複数のコード（乱数）が印字されている。また，コードカレンダーは，何月何日には何ページを使うことが印字されている。図１０に紙媒体のコード表の一例を示す。
【００５１】
本実施例の場合，図１の認証処理システム１におけるコード表配信処理部２１の代わりに，コード表出力処理部２５を設ける。コード表出力処理部２５は，コード表生成処理部２０が生成したコード表を出力する処理を実行する。図１１に，実施例２の認証処理システム１の一例を模式的に示す。
【００５２】
コード表出力処理部２５は，コード表生成処理部２０で生成したコード表の出力処理を実行する。出力処理としては印刷，ＦＡＸ送信などの各種出力処理がある。印刷されたコード表は，認証処理システム１を運営する企業の担当者などが，各施設に対して郵送等する。
【００５３】
つぎに本実施例の場合の処理を説明する。なお，実施例１と同様，以下の説明では施設として飲食店の場合を説明する。
【００５４】
あらかじめ設定したタイミングが到来すると，コード表生成処理部２０は，各飲食店で利用するためのコード表（コードカレンダーとコードブック）を生成する（Ｓ２００）。そして生成したコード表は，コード表出力処理部２５が印刷を実行する（Ｓ２１０）。印刷したコード表は，担当者が各飲食店に郵送などにより送る。なお，紙媒体のコード表を印刷するほか，電子メールでの配信，ＦＡＸでの配信などであっても良い。またコード表生成処理部２０は，生成したコード表をコード表記憶部２２に記憶させる。
【００５５】
そして飲食店を利用した利用者が，可搬型通信端末３のクーポンや決済などのアプリケーションプログラムを利用して割引などのサービスを享受しようと考えた場合，利用者が決済を行うときに，アプリケーションプログラムで定められた方法により操作を行うことで，その手続を行う。たとえばポイントや電子マネーで飲食店の代金を支払おうとする場合，それらのアプリケーションプログラムを可搬型通信端末３で起動する。
【００５６】
そしてアプリケーションプログラムにおける所定の操作を可搬型通信端末３で行うことで，決済等の処理が行われる。たとえば，利用するポイント数の情報（たとえば１０００ポイント）を入力すると，その情報が決済等の処理を行う所定の決済サーバに送られる。そして，正常に決済等の処理が行われると，利用者が利用する可搬型通信端末３に対して，コード識別情報の入力画面（図５）を表示させる。
【００５７】
利用者は，飲食店の店員にコード識別情報を尋ねる。利用者からコード識別情報を尋ねられた店員は，送られてきたコード表のなかから，任意のコード識別情報を伝える。たとえば店員が「１」と回答した場合，それを聞いた利用者は，入力画面に「１」を入力し，送信する。ここで送信されたコード識別情報は，可搬型通信端末３から認証処理サーバ２に送られる。
【００５８】
可搬型通信端末３からコード識別情報を受け付けた認証処理サーバ２の利用者処理部２４は（Ｓ２２０），受け付けた認証情報と，時計処理部２３における現在の日時情報とに基づいて，コード表記憶部２２を参照して対応するコードを特定し（Ｓ２３０），それを当該可搬型通信端末３に送る（Ｓ２４０）。
【００５９】
たとえばコード識別情報として「１」を受け付け，現在の日時情報が「１１月２５日  ２０時０１分」であり，コード表が図４の場合，「３７９」をコードとして特定し，可搬型通信端末３に送る。
【００６０】
可搬型通信端末３では認証処理サーバ２から送られたコードを，コード表示画面（図６）として表示する。コード表示画面では，店員が利用者に伝えたコード識別情報と，それに対応するコードとが少なくとも表示されている。このコード表示画面を利用者が店員に提示することで，あるいは，そこに表示されているコードを利用者が店員に伝えることで，店員は，飲食店内の時計などで時刻を確認する。そして，コード表の中から，コードカレンダーを参照して，その日に使用するページのコードブックを開く。そしてそのコードブックに時間帯ごとに記載されているコードに，伝えられたコードがあるかを確認する。
【００６１】
もし伝えられたコードがあれば，正規に決済等の処理が行われたと判断でき，利用者がポイントや電子マネーなどで決済した分を減額して会計処理が行える。一方，伝えられたコードがなければ，偽装された画面である可能性が高いので，利用者に対して決済等について確認を求めればよい。
【００６２】
コード表を飲食店ごとに変更する場合には，コード表生成処理部２０は，飲食店ごとのコード表を生成する。飲食店ごとのコード表としては，コードカレンダーとコードブックのコード（乱数）の双方が異なる場合であっても良いし，コードカレンダーのみ，コードブックのコードのみが飲食店ごとに異なっていても良い。好ましくは，コードカレンダーのみが異なると良い。コードブックにおけるコードを飲食店ごとに変更するよりも，コードブックは同じでも，コードカレンダーのみを飲食店ごとに変更することが容易だからである。コード表記憶部２２では，飲食店を識別する情報とともにコード表を記憶する。利用者の利用する可搬型通信端末３からコード識別情報を入力を受け付ける場合の処理は，実施例１と同様に実行できる。
【００６３】
以上のような処理を実行することで，コード表を紙媒体で飲食店に渡す場合でも，実施例１の場合と同様に認証処理を実行できる。施設が飲食店の場合には，飲食店にコンピュータなどの施設側端末４を設置していない場合もある。そのため，本実施例を用いることも有効である。
【００６４】
なお，実施例１および実施例２を組み合わせ，施設側端末４を利用する飲食店には電子的なコード表を，施設側端末４を利用しない飲食店には紙媒体のコード表を渡すように構成しても良い。
【産業上の利用可能性】
【００６５】
本発明の認証処理システム１を用いることで，店員の負担となることなく，かつ簡単に，画面の偽装を判定することができる。
【符号の説明】
【００６６】
１：認証処理システム
２：認証処理サーバ
３：可搬型通信端末
４：施設側端末
２０：コード表生成処理部
２１：コード表配信処理部
２２：コード表記憶部
２３：時計処理部
２４：利用者処理部
２５：コード表出力処理部
７０：演算装置
７１：記憶装置
７２：表示装置
７３：入力装置
７４：通信装置
【図１】
2015148862.tif 000003
【図２】
2015148862.tif 000004
【図３】
2015148862.tif 000005
【図４】
2015148862.tif 000006
【図５】
2015148862.tif 000007
【図６】
2015148862.tif 000008
【図７】
2015148862.tif 000009
【図８】
2015148862.tif 000010
【図９】
2015148862.tif 000011
【図１０】
2015148862.tif 000012
【図１１】
2015148862.tif 000013
【図１２】
2015148862.tif 000014
【図１３】
2015148862.tif 000015
【図１４】
2015148862.tif 000016
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
施設の利用者がその施設の従業員に対して提示する画面の認証を行う認証処理システムであって，
複数の第１コードと，その各第１コードに所定の時間帯ごとの第２コードが対応付けられているコード表を生成するコード表生成処理部と，
前記コード表生成処理部が生成したコード表を記憶するコード表記憶部と，
時計機能を有する時計処理部と，
前記利用者が利用する可搬型通信端末に入力された前記第１コードを該可搬型通信端末から受け付け，前記時計処理部における前記日時情報と前記受け付けた前記第１コードとに基づいて，前記コード表記憶部に記憶するコード表から，対応する前記第２コードを特定し，該第２コードを前記可搬型通信端末に送る利用者処理部と，を備える
ことを特徴とする認証処理システム。
【請求項２】
前記第１コードは，前記可搬型通信端末を用いて前記利用者が前記施設に画面認証を行う際に入力される
ことを特徴とする請求項１に記載の認証処理システム。
【請求項３】
前記画面認証は，前記施設への該施設で利用可能なクーポンの利用認証，および/または前記施設への支払い認証である
ことを特徴とする請求項２に記載の認証処理システム。
【請求項４】
前記施設には施設側端末が設置されており、
前記施設側端末は，
前記認証処理システムから配信された前記コード表を記憶しており，
現在の日時情報に対応する所定範囲の時間帯の第２コードを表示する，
ことを特徴とする請求項１〜３のいずれかに記載の認証処理システム。
【請求項５】
前記所定範囲の時間帯として，現在の日時情報とその前後の所定時間帯である，
ことを特徴とする請求項４に記載の認証処理システム。
【請求項６】
前記コード表生成処理部は，
施設ごとに日にちによって使用される前記第２コードを変更する、
ことを特徴とする請求項１から請求項５のいずれかに記載の認証処理システム。
【請求項７】
前記認証処理システムは、前記生成したコード表を出力するコード表出力処理部を更に備えており、
前記コード表は，
複数のページからなるコードブックと，コードカレンダーとを有しており，
前記コードブックは，
ページごとに，複数のコード識別情報と，その各コード識別情報に時間帯ごとのコードを対応付けており，
前記コードカレンダーは，
日付とページとを対応付けている，
ことを特徴とする請求項１から請求項６のいずれかに記載の認証処理システム。
【手続補正２】
【補正対象書類名】明細書
【補正対象項目名】０００８
【補正方法】変更
【補正の内容】
【０００８】
本発明は、施設の利用者がその施設の従業員に対して提示する画面の認証を行う認証処理システムであって，複数の第１コードと，その各第１コードに所定の時間帯ごとの第２コードが対応付けられているコード表を生成するコード表生成処理部と，前記コード表生成処理部が生成したコード表を記憶するコード表記憶部と，時計機能を有する時計処理部と，前記利用者が利用する可搬型通信端末に入力された前記第１コードを該可搬型通信端末から受け付け，前記時計処理部における前記日時情報と前記受け付けた前記第１コードとに基づいて，前記コード表記憶部に記憶するコード表から，対応する前記第２コードを特定し，該第２コードを前記可搬型通信端末に送る利用者処理部と，を備える、認証処理システムである。また、上述の発明において，前記第１コードは，前記可搬型通信端末を用いて前記利用者が前記施設に画面認証を行う際に入力される，認証処理システムのように構成することができる。また、上述の発明において，前記画面認証は，前記施設への該施設で利用可能なクーポンの利用認証，および/または前記施設への支払い認証であるされる，認証処理システムのように構成することができる。
【手続補正３】
【補正対象書類名】明細書
【補正対象項目名】００１０
【補正方法】変更
【補正の内容】
【００１０】
上述の発明において，前記施設には施設側端末が設置されており、前記施設側端末は，
前記認証処理システムから配信された前記コード表を記憶しており，現在の日時情報に対応する所定範囲の時間帯の第２コードを表示する，認証処理システムのように構成することができる。
【手続補正４】
【補正対象書類名】明細書
【補正対象項目名】００１２
【補正方法】変更
【補正の内容】
【００１２】
上述の発明において，前記所定範囲の時間帯として，現在の日時情報とその前後の所定時間帯である，認証処理システムのように構成することができる。
【手続補正５】
【補正対象書類名】明細書
【補正対象項目名】００１５
【補正方法】変更
【補正の内容】
【００１５】
上述の発明において，記コード表生成処理部は，施設ごとに日にちによって使用される前記第２コードを変更する，認証処理システムのように構成することができる。
【手続補正６】
【補正対象書類名】明細書
【補正対象項目名】００１７
【補正方法】変更
【補正の内容】
【００１７】
上述の発明において，前記認証処理システムは、前記生成したコード表を出力するコード表出力処理部を更に備えており、前記コード表は，複数のページからなるコードブックと，コードカレンダーとを有しており，前記コードブックは，ページごとに，複数のコード識別情報と，その各コード識別情報に時間帯ごとのコードを対応付けており，前記コードカレンダーは，日付とページとを対応付けている，認証処理システムのように構成することができる。